(57)【要約】【課題】  上端が開口した横長の角型水槽を備えた家畜用給水器であって、長期間の使用に耐え得る家畜用給水器を提供する。【解決手段】  家畜用給水器１は、上端が開口した横長のポリエチレン製角型水槽２を備えている。角型水槽２は、上端開口縁に連設された外鍔状のフランジ２ｆを有している。角型水槽２には、その開口端周縁に沿って第１補強材３が取り付けられている。ここで、第１補強材３は、断面コの字状に形成されており、その天板がフランジ部２ｆの下面に当接された状態で、上側から当該フランジ部２ｆにネジ止め固定されている。すなわち、第１補強材３は、角型水槽２の開口端外周部に取り付けられている。角型水槽２内には、当該角型水槽２を左右に二分するように第２補強材１０が取り付けられている。【選択図】  図１
0003201191.tif 000002
【実用新案登録請求の範囲】
【請求項１】
上端が開口した横長の角型水槽を備えた家畜用給水器であって、
前記角型水槽の開口端周縁に沿って取り付けられた第１補強材と、前記角型水槽内に取り付けられた第２補強材と、を備えたことを特徴とする家畜用給水器。
【請求項２】
前記角型水槽を柱に固定するための固定具又は前記角型水槽を設置面に設置するための伸縮可能な脚部をさらに備えた、請求項１に記載の家畜用給水器。
【請求項３】
前記第２補強材は、天板と左右の側板とにより断面コの字状に形成され、
前記第２補強材の内部に、前記角型水槽の水位に応じて開閉するフロート弁が配置されている、請求項１又は２に記載の家畜用給水器。
【請求項４】
前記角型水槽の底面には、前記第２補強材の直下に位置して排水口が設けられており、当該排水口にはゴム栓が着脱可能に嵌め込まれている、請求項３に記載の家畜用給水器。
【考案の詳細な説明】
【技術分野】
【０００１】
本考案は、牛等の家畜に水を飲ませるために用いられる家畜用給水器に関する。さらに詳細には、本考案は、上端が開口した横長の角型水槽を備えた家畜用給水器に関する。
【背景技術】
【０００２】
従来、牛舎では、給水のために押しベら式又はフロート式のウォーターカップが用いられている（例えば、非特許文献１等参照）。ウォーターカップは、直径２５〜３０ｃｍ、深さ約１５ｃｍの半円形の鉄製やステンレス製のカップを備え、ストールの支柱に締付具を介して牛床から高さ５０〜６０ｃｍの位置に取付けられる。そして、牛が口や鼻で押しベらを押している間だけバルブが開き、給水管から水がカップに流入して、飲水できる仕組みになっている。
しかし、上記非特許文献１等に開示されているようなウォーターカップでは、牛が水を飲みにくく、空気を吸ってしまうために、優良な牛が育ちにくいという課題があった。
【０００３】
そこで、近年、上記課題を解消すべく、家畜用給水器として、上端が開口した横長の角型水槽を備えたものが提案されている（例えば、特許文献１等参照）。
【先行技術文献】
【非特許文献】
【０００４】
【非特許文献１】株式会社共同インターナショナルホームページ、［online］、［平成２７年８月１０日検索］、インターネット〈URL:http://www.kyodo-inc.co.jp/machinery/cattle/water-cup.html〉
【特許文献】
【０００５】
【特許文献１】実用新案登録第３１９２２９５号公報
【考案の概要】
【考案が解決しようとする課題】
【０００６】
しかし、特許文献１等に開示された家畜用給水器では、角型水槽が樹脂製であるために牛が噛んでしまい、当該角型水槽が破損してしまう虞がある。すなわち、特許文献１等に開示された家畜用給水器は、長期間の使用に耐え得るものではない。
【０００７】
本考案は、従来技術における前記課題を解決するためになされたものであり、上端が開口した横長の角型水槽を備えた家畜用給水器であって、長期間の使用に耐え得る家畜用給水器を提供することを目的とする。
【課題を解決するための手段】
【０００８】
前記目的を達成するため、本考案に係る家畜用給水器の構成は、
（１）上端が開口した横長の角型水槽を備えた家畜用給水器であって、  前記角型水槽の開口端周縁に沿って取り付けられた第１補強材と、前記角型水槽内に取り付けられた第２補強材と、を備えたことを特徴とする。
【０００９】
本考案において、角型水槽は、底壁と、当該底壁に対して垂直に設けられた前後左右の側壁と、を有するものであっても、底壁と、上方に向けて外側方に広がるようにテーパ状に傾斜した前後左右の側壁と、を有するものであってもよい。また、コーナー部分は丸みを帯びていてもよい。
【００１０】
本考案の家畜用給水器の上記（１）の構成によれば、角型水槽の開口端周縁に沿って第１補強材が取り付けられていることにより、前記角型水槽の開口端周縁を牛等の家畜が噛みにくくなるので、牛舎等で使用する際の前記角型水槽の破損を防止することができる。その結果、長期間の使用に耐え得る家畜用給水器を提供することができる。また、角型水槽内に第２補強材が取り付けられていることにより、さらに耐久性の良好な家畜用給水器を実現することができる。
【００１１】
本考案の家畜用給水器の上記（１）の構成においては、以下の（２）〜（４）のような構成にすることが好ましい。
【００１２】
（２）前記角型水槽を柱に固定するための固定具又は前記角型水槽を設置面に設置するための伸縮可能な脚部をさらに備えている。
【００１３】
ところで、特許文献１に開示された家畜用給水器では、角型水槽をコンクリート台等に据え付ける構成が採用されているため、家畜の成長に合わせた設置が可能なものとはなっていない。これに対し、上記（２）の好ましい構成によれば、前記角型水槽の設置高さを自由に変更することが可能となるので、牛等の家畜の成長に合わせた設置が可能な家畜用給水器を提供することができる。
【００１４】
（３）前記第２補強材は、天板と左右の側板とにより断面コの字状に形成され、
前記第２補強材の内部に、前記角型水槽の水位に応じて開閉するフロート弁が配置されている。
【００１５】
上記（３）の好ましい構成によれば、フロート弁を牛等の家畜がいたずらすることはないので、当該フロート弁の故障を防止することができる。その結果、さらなる長期間の使用に耐え得る家畜用給水器を提供することができる。
【００１６】
（４）上記（３）の好ましい構成において、前記角型水槽の底面には、前記第２補強材の直下に位置して排水口が設けられており、当該排水口にはゴム栓が着脱可能に嵌め込まれている。
【００１７】
上記（４）の好ましい構成によれば、ゴム栓を牛等の家畜がいたずらすることはないので、当該ゴム栓が抜けて角型水槽内の水が流出してしまうことを防止することができる。
【考案の効果】
【００１８】
本考案によれば、上端が開口した横長の角型水槽を備えた家畜用給水器であって、長期間の使用に耐え得る家畜用給水器を提供することができる。
【図面の簡単な説明】
【００１９】
【図１】図１は、本考案の一実施の形態における家畜用給水器の構成を示す斜視図（牛舎等に設置した状態を牛舎等の外側から見た図）である。
【図２】図２は、本考案の一実施の形態における家畜用給水器の構成を示す斜視図（牛舎等に設置した状態を牛舎等の内側から見た図）である。
【図３】図３は、図１のIII−III線拡大断面図である。
【図４】図４は、本考案の一実施の形態における家畜用給水器を牛舎等の柱に固定した状態を示す斜視図である。
【図５】図５は、本考案の一実施の形態における家畜用給水器の他の構成を示す斜視図（牛舎等に設置した状態を牛舎等の外側から見た図）である。
【図６】図６は、本考案の一実施の形態における家畜用給水器のさらなる他の構成を示す斜視図である。
【考案を実施するための形態】
【００２０】
以下、好適な実施の形態を用いて本考案をさらに具体的に説明する。但し、下記の実施の形態は本考案を具現化した例に過ぎず、本考案はこれに限定されるものではない。
【００２１】
［家畜用給水器の構成］
まず、本考案の一実施の形態における家畜用給水器の構成について、図１〜図３を参照しながら説明する。
【００２２】
図１は、本考案の一実施の形態における家畜用給水器の構成を示す斜視図（牛舎等に設置した状態を牛舎等の外側から見た図）、図２は、当該家畜用給水器の構成を示す斜視図（牛舎等に設置した状態を牛舎等の内側から見た図）、図３は、図１のIII−III線拡大断面図である。
【００２３】
図１，図２に示すように、本実施の形態の家畜用給水器１は、上端が開口した横長の角型水槽２を備えている。ここで、角型水槽２は、底壁２ａと、上方に向けて外側方に広がるようにテーパ状に傾斜した前後左右の側壁２ｂ，２ｃ，２ｄ，２ｅと、を有している。また、角型水槽２は、上端開口縁に連設された外鍔状のフランジ２ｆを有している。
【００２４】
角型水槽２の容量は、約６０Ｌ（リットル）であり、当該角型水槽２の素材としては、ポリエチレン系樹脂、ポリプロピレン系樹脂、ポリスチレン系樹脂、ポリカーボネート系樹脂、塩化ビニル系樹脂、ＡＢＳ樹脂などの樹脂素材が用いられている。
【００２５】
図１〜図３に示すように、角型水槽２には、その開口端周縁に沿って第１補強材３が取り付けられている。ここで、第１補強材３は、断面コの字状に形成されており、その天板がフランジ部２ｆの下面に当接された状態で、上側から当該フランジ部２ｆにネジ止め固定されている。すなわち、第１補強材３は、角型水槽２の開口端外周部に取り付けられている。
【００２６】
角型水槽２内には、当該角型水槽２を左右に二分するように第２補強材１０が取り付けられている。
【００２７】
第１及び第２補強材３，１０の素材としては、ステンレス、アルミニウム、鉄などの金属素材が用いられている。
【００２８】
本実施の形態の家畜用給水器１の構成によれば、上記のように、角型水槽２の開口端周縁に沿って第１補強材３が取り付けられていることにより、角型水槽２の開口端周縁を牛等の家畜が噛みにくくなるので、牛舎等で使用する際の角型水槽２の破損を防止することができる。その結果、長期間の使用に耐え得る家畜用給水器を提供することができる。また、角型水槽２内に第２補強材１０が取り付けられていることにより、さらに耐久性の良好な家畜用給水器を実現することができる。
【００２９】
第２補強材１０は、天板１０ａと、左右の側板１０ｂ，１０ｃと、により断面コの字状に形成されている。そして、天板１０ａの前後両端部が角型水槽２の上端面にネジ止め固定されている。この場合、第２補強材１０の左右の側板１０ｂ，１０ｃの下端と角型水槽２の内底面との間には、５ｃｍ程の隙間があけられている。
【００３０】
第２補強材１０の内部には、角型水槽２の水位に応じて開閉するフロート弁１１が配置されている。フロート弁１１は、特殊なオンオフ弁であるボールタップ１１ａと、当該ボールタップ１１ａを開閉する浮き玉１１ｂと、を備えている。第２補強材１０の天板１０ａには、後述する固定具４側に位置して、水道からのホース１２を接続するための水栓１３が取り付けられており、当該水栓１３とボールタップ１１ａはパイプ１４を介して接続されている。また、ボールタップ１１ａは、例えば、Ｕ字金具等を用いて第２補強材１０に固定されている。そして、水位が下がって浮き玉１１ｂが下がると（実線、水位１）、アーム１１ｃを介してボールタップ１１ａが弁開状態となって、給水が行われる。一方、給水に伴って水位が上がり、浮き玉１１ｂが所定の高さに上昇すると（破線、水位２）、アーム１１ｃを介してボールタップ１１ａが弁閉状態となって、給水が停止される。これにより、角型水槽２内に所定量の水が溜められた状態が実現される。
【００３１】
本実施の形態の家畜用給水器１の構成によれば、上記のように、角型水槽２内に、当該角型水槽２を左右に二分するように断面コの字状の第２補強材１０が取り付けられ、第２補強材１０の内部に、角型水槽２の水位に応じて開閉するフロート弁１１が配置されていることにより、フロート弁１１を牛等の家畜がいたずらすることはないので、当該フロート弁１１の故障を防止することができる。その結果、さらなる長期間の使用に耐え得る家畜用給水器を提供することができる。
【００３２】
図２，図３に示すように、第１補強材３の後側の面の中央部分には、角型水槽２を牛舎等の柱に固定するための固定具４が取り付けられている。ここで、固定具４は、２つのＬ型アングル４ａ，４ｂを組み合わせて断面コの字状に形成されており、その上端部分が第１補強材３にボルト５とナット６を用いて締結されている。また、固定具４には、その左右のＬ型アングル４ａ，４ｂにそれぞれ縦に３つのボルト挿通孔４ｃが穿設されている。そして、固定具４を牛舎等の柱１６（ボルト挿通孔が穿設されている）に嵌め込み、Ｌ型アングル４ａ，４ｂのボルト挿通孔４ｃと柱１６のボルト挿通孔を合致させた後、ボルト挿通孔にボルト１７を挿通してナットで締め付けることにより、角型水槽２を牛舎等の柱１６に固定することができるようにされている（図４参照）。
図１，図２に示すように、第１補強材３の前側の面には、縦長矩形状の補助板７の上端部分がボルト８とナット（図示せず）を用いて締結されており、固定具４と補助板７の下端部同士は、連結桿９によって連結されている。そして、これにより、固定具４の補強が図られている。
【００３３】
固定具４、補助板７、連結桿９の素材としては、ステンレス、アルミニウム、鉄などの金属素材が用いられている。
【００３４】
ところで、特許文献１に開示された家畜用給水器では、角型水槽をコンクリート台等に据え付ける構成が採用されているため、家畜の成長に合わせた設置が可能なものとはなっていない。これに対し、本実施の形態の家畜用給水器１の構成によれば、上記のように、角型水槽２を牛舎等の柱１６に固定するための固定具４を備えるようにしたことにより、角型水槽２の設置高さを自由に変更することが可能となるので、牛等の家畜の成長に合わせた設置が可能な家畜用給水器を提供することができる。
【００３５】
図１に示すように、角型水槽２の底面には、第２補強材１０の直下に位置して排水口（図示せず）が設けられており、当該排水口にはゴム栓１５が着脱可能に嵌め込まれている。  かかる構成によれば、ゴム栓１５を牛等の家畜がいたずらすることはないので、当該ゴム栓１５が抜けて角型水槽２内の水が流出してしまうことを防止することができる。
【００３６】
［家畜用給水器の使用方法］
次に、本実施の形態における家畜用給水器１の使用方法について、図４をも参照しながら説明する。
【００３７】
図４は、本考案の一実施の形態における家畜用給水器を牛舎等の柱に固定した状態を示す斜視図である。
【００３８】
図４に示すように、まず、家畜用給水器１を、固定具４を介して牛舎等の柱１６に固定する。この場合、固定具４を牛舎等の柱１６（ボルト挿通孔が穿設されている）に嵌め込み、Ｌ型アングル４ａ，４ｂのボルト挿通孔４ｃ（図２，図３参照）と柱１６のボルト挿通孔を合致させた後、ボルト挿通孔にボルト１７を挿通してナットで締め付けることにより、角型水槽２を牛舎等の柱１６に固定することができる。尚、柱１６の長手方向に沿って多数のボルト挿通孔を穿設しておけば、牛等の家畜の成長に合わせて家畜用給水器１を設置することが可能となる。尚、固定具として固定バンド金具等を用いれば、牛舎等の柱にボルト挿通孔を穿設することなく、角型水槽２を牛舎等の柱に固定することができる。
角型水槽２を牛舎等の柱１６に固定したら、ホース１２を介して水栓１３を水道に接続する。これにより、フロート弁１１が動作して角型水槽２内に所定量の水が溜められる。
この場合、水栓１３が、固定具４側に位置して取り付けられていることにより、ホース１２を牛舎等の柱１６に沿わせた状態で固定することができるので、当該ホース１２が牛等の家畜の動作の邪魔にならないようにすることができる。
【００３９】
尚、本実施の形態においては、角型水槽が、底壁２ａと、上方に向けて外側方に広がるようにテーパ状に傾斜した前後左右の側壁２ｂ，２ｃ，２ｄ，２ｅと、を有する角型水槽２である場合を例に挙げて説明したが、本考案は必ずしもこのような構成に限定されるものではない。角型水槽は、例えば、底壁と、当該底壁に対して垂直に設けられた前後左右の側壁と、を有するものであってもよい。
また、本実施の形態においては、角型水槽２の容量が６０Ｌである場合を例に挙げて説明したが、本考案は必ずしもこのような構成に限定されるものではない。角型水槽の容量は、特に限定されるものではなく、例えば、４０Ｌ，８０Ｌ等であってもよい。
また、本実施の形態においては、角型水槽２の素材がポリエチレン系樹脂等の樹脂素材である場合を例に挙げて説明したが、本考案は必ずしもこのような構成に限定されるものではない。角型水槽の素材は、例えば、ステンレス、アルミニウム、鉄などの金属素材であってもよい。
【００４０】
また、本実施の形態においては、第１補強材３が、角型水槽２の開口端外周部に取り付けられている場合を例に挙げて説明したが、本考案は必ずしもこのような構成に限定されるものではない。第１補強材は、角型水槽の開口端周縁に沿って取り付けられていればよく、例えば、角型水槽の開口端内周部に取り付けられていてもよい。
【００４１】
また、本実施の形態においては、角型水槽２を柱１６に固定するための固定具４が第１補強材３に締結されている場合を例に挙げて説明したが、本考案は必ずしもこのような構成に限定されるものではない。角型水槽を柱に固定するための固定具は、第１補強材とは無関係に設けられていてもよい。
【００４２】
また、本実施の形態においては、天板１０ａと、左右の側板１０ｂ，１０ｃと、により断面コの字状に形成された第２補強材１０を例に挙げて説明したが、本考案は必ずしもこのような構成に限定されるものではない。第２補強材の形状は、例えば、平板状であってもよい。
また、本実施の形態においては、角型水槽２内に、当該角型水槽２を左右に二分するように断面コの字状の第２補強材１０が取り付けられている場合を例に挙げて説明したが、本考案は必ずしもこのような構成に限定されるものではない。たとえフロート弁１１を覆い隠すために第２補強材１０を設ける場合であっても、当該第２補強材１０は、例えば図５に示すように、角型水槽２の左右いずれかの端部に設けるようにしてもよい。
【００４３】
また、本実施の形態においては、角型水槽２の底面に排水口が設けられ、当該排水口にゴム栓１５が着脱可能に嵌め込まれている場合を例に挙げて説明したが、本考案は必ずしもこのような構成に限定されるものではない。例えば、排水口の下端にコック付きの排水管を取り付けるようにしてもよい。
【００４４】
また、本実施の形態においては、第１補強材３の後側の面の中央部分に、角型水槽２を柱に固定するための固定具４が取り付けられている場合を例に挙げて説明したが、本考案は必ずしもこのような構成に限定されるものではない。例えば図６に示すように、固定具４の代わりに、角型水槽２を設置面に設置するための伸縮可能な脚部２０ａ，２ｏｂ，２０ｃ，２０ｄ（“２０ｄ”については図示せず）を備えたものであってもよい。
以下、当該構成の家畜用給水器１９について、図６を参照しながら説明する。尚、図１〜図３に示す家畜用給水器１の構成部材と同じ構成部材については、同一の参照符号を付して説明を省略する。
【００４５】
図６に示すように、家畜用給水器１９の第１補強材３の四隅には、Ｌ型アングルからなる脚部２０ａ，２０ｂ，２０ｃ，２０ｄの上端部が溶接によって固着されている。また、脚部２０ａ，２０ｂ，２０ｃ，２０ｄの下端部には、断面逆Ｔの字状の足片２１ａ，２１ｂ，２１ｃ，２１ｄ（“２１ｄ”については図示せず）がそれぞれ上下スライド可能に取り付けられている。具体的に説明すると、脚部２０ａ，２０ｂ，２０ｃ，２０ｄの下端部には、それぞれボルト挿通孔（図示せず）が穿設されており、足片２１ａ，２１ｂ，２１ｃ，２１ｄの垂直部には、貫通する長孔２２が形成されている。そして、ボルト挿通孔を長孔２２の任意の位置に合わせ、ボルト２３とナット２４で締結することにより、脚部２０ａ，２０ｂ，２０ｃ，２０ｄを任意の長さに設定することができるようにされている。尚、足片２１ａ，２１ｂ，２１ｃ，２１ｄの水平部には、ボルト挿通孔２５が穿設されており、これにより、例えば、コンクリート台に埋設された基礎ボルトに足片２１ａ，２１ｂ，２１ｃ，２１ｄを締結することができるようにされている。但し、足片２１ａ，２１ｂ，２１ｃ，２１ｄの水平部にボルト挿通孔２５を穿設することは任意である。
そして、かかる構成によっても、角型水槽２の設置高さを自由に変更することが可能となるので、牛等の家畜の成長に合わせた設置が可能な家畜用給水器を提供することができる。
【００４６】
また、本実施の形態の家畜用給水器は、牛に好適であるが、馬や羊、山羊などの家畜にも広く適用することができる。
【符号の説明】
【００４７】
１，１９  家畜用給水器
２  角型水槽
３  第１補強材
４  固定具
１０  第２補強材
１０ａ  天板
１０ｂ，１０ｃ  側板
１１  フロート弁
１１ａ  ボールタップ
１１ｂ  浮き玉
１５  ゴム栓
１６  柱
１７，２３  ボルト
２０ａ，２ｏｂ，２０ｃ，２０ｄ  脚部
２１ａ，２１ｂ，２１ｃ，２１ｄ  足片
２２  長孔
２４  ナット
２５  ボルト挿通孔
【図１】
0003201191.tif 000003
【図２】
0003201191.tif 000004
【図３】
0003201191.tif 000005
【図４】
0003201191.tif 000006
【図５】
0003201191.tif 000007
【図６】
0003201191.tif 000008